(57)【特許請求の範囲】
【請求項１】
封筒表面の窓部に分離可能に配置した往信宛先表示部と封筒内に挿入されて前記窓部に対応する返信宛先表示部とからなり、往信宛先表示部の分離により窓部から返信宛先表示部が目視可能となる構成とした宛先表示手段と、
封筒表面に設けた返信表示部を剥離可能に覆った往信表示部、または封筒表面に設けた往信表示部を隠蔽可能な返信表示部からなる郵送の料金表示手段と、
封筒の封緘片に設けられ、該封緘片の折り罫側に位置して剥離紙にて剥離可能に覆われている返信時接着部と、封緘片の自由端側に位置して封緘片の折り倒し時に対応する面に接着可能な往信時接着部と、前記返信時接着部と往信時接着部との間に位置する切り取り部とからなる封入封緘手段とを備えることを特徴とする往復封筒セット。
【発明の詳細な説明】
【０００１】
【発明の属する技術分野】
本発明は往信と返信とに使用することのできる往復封筒セットに関するものである。
【０００２】
【発明が解決しようとする課題】
従来、封筒を用いた各種の通知に際しては、申込書を同封するなどのようにその通知に対する返信を得たい場合があり、特に往信と返信とをともに封書として取り扱う場合には、往信に使用される封筒の中に返信用としての別体の封筒を同封するようにしたり、往信封筒の一部に返信用の封筒を形成するなどの方法があり、銀行やクレジット業者などの金融機関が顧客に対して新規の通知と申込書を送る場合にこのような方法が採用されていた。
しかし、往信封筒に返信封筒を同封するものや一部が返信封筒として構成されている往信封筒では、返信時に不要となる封筒構成部分が多いため、金融機関が顧客に送付する場合のように往信封筒の送付先が多くなると不経済なものとなっていた。このように、往信封筒自体を返信封筒として用いて往信と返信とを経済的にやり取りできるようにしたものはなかった。
そこで、本発明は上記事情に鑑み、往信封筒自体を返信用の封筒として使用できるようにすることを課題とし、往信時に往信封筒と返信封筒とを送付していた従来方式での不経済な面を解消することを目的とするものである。
【０００３】
【課題を解決するための手段】
そこで、本発明は上記課題を考慮してされたもので、封筒表面の窓部に分離可能に配置した往信宛先表示部と封筒内に挿入されて前記窓部に対応する返信宛先表示部とからなり、往信宛先表示部の分離により窓部から返信宛先表示部が目視可能となる構成とした宛先表示手段と、封筒表面に設けた返信表示部を剥離可能に覆った往信表示部、または封筒表面に設けた往信表示部を隠蔽可能な返信表示部からなる郵送の料金表示手段と、封筒の封緘片に設けられ、該封緘片の折り罫側に位置して剥離紙にて剥離可能に覆われている返信時接着部と、封緘片の自由端側に位置して封緘片の折り倒し時に対応する面に接着可能な往信時接着部と、前記返信時接着部と往信時接着部との間に位置する切り取り部とからなる封入封緘手段とを備えることを特徴とする往復封筒セットを提供して、上記課題を解消するものである。
【０００４】
【発明の実施の形態】
つぎに本発明を図１から図７に示す実施の形態に基づいて詳細に説明する。
図中１は往復封筒セットで、該往復封筒セット１は一辺を開口とした封筒本体２において、その封筒本体２における封筒表面３の開口側に封緘時に封筒裏面４に折り重ねるようにする封緘片５が折り罫６を介して連接されたものである。そして、この往復封筒セット１にあっては、封筒本体２の封筒表面３において、図示されているように、宛先表示手段７と料金表示手段８とを配している。
宛先表示手段７は、封筒表面３に設けられた窓部９に分離可能に配置した往信宛先表示部１０と封筒本体２の内に挿入される返信宛先表示部１１とからなるもので、図２に示すように、前記往信宛先表示部１０にあっては、封筒表面３の所要個所をミシン目やスリットを枠状にして穿設することで形成された前記窓部９の内側に位置し、即ち、ミシン目やスリットの穿設により区分構成され、そのミシン目やスリットとした分離部１２により往信宛先表示部１０が窓部９に対して分離可能に連接された状態としている。そして、この往信宛先表示部１０の表面には往信宛先情報記載面１０ａが設けられている。また、前記窓部９にあっては、その封筒本体２側の内周面に亘って一枚の透明フィルム１３が接着されていてこの透明フィルム１３により窓部９が覆われているものであり、往信宛先表示部１０を窓部９から分離すれば封筒本体２の内側が見えるようにしている。一方、前記返信宛先表示部１１は封筒本体２の内部に挿入配置される一枚の台紙や連絡書１４から構成されているもので、図２に示されているように、その台紙や連絡書１４を封筒本体２の内部に入れることで返信宛先表示部１１が窓部９に対応位置する。そして、この返信宛先表示部１１には返信宛先情報記載面１１ａが設けられており、上記往信宛先表示部１０が窓部９から分離されていない時点ではその窓部９から返信宛先表示部１１が見えないが、往信宛先表示部１０を窓部９から分離することで、返信宛先表示部１１が窓部９を通して見ることができ、返信宛先情報記載面１１ａに記載されている情報を読み取ることができるようにしているものである。
【０００５】
上記窓部９においては封筒本体２の内部側から一枚の透明フィルム１３で覆われるものとして説明したが、この形態に限定されるものではない。図３は他の形態を示していて、透明な二枚のフィルムを擬似接着させた二層フィルム１３ａを封筒本体２の内側から封筒表面３の窓部形成部分に接着するとともに、封筒表面３の外部側から前記二層フィルム１３ａの封筒裏面４側のフィルムを分断しない深さまで入れられたスリットにて分離部１２を形成し、その分離部１２にて区画された内側を往信宛先表示部１０としているものである。この場合も、その往信宛先表示部１０を前記分離部１２から分離することで往信宛先表示部１０の領域に対応する二層フィルム１３ａが擬似接着部分で剥離し、二層フィルム１３ａにおける封筒本体側に残ったフィルムが窓部９を覆う形態となるようにしているものである。
【０００６】
また、図４はさらに他の形態を示している。この図４に示されているように、上記往信宛先表示部１０は、予め開口されて封筒本体２の内部から透明フィルム１３にて覆われた窓部９に対して封筒表面３の外部から剥離可能に貼着できるラベル形態のものであってもよい。このラベル形式とした往信宛先表示部１０は窓部９を完全に覆うようにして剥離可能に貼着するものであり、往信宛先表示部１０が貼着されている時点では封筒本体２の内側にある返信宛先表示部１１は見えず、往信宛先表示部１０を窓部９から剥離することで前記返信宛先表示部１１が窓部９を通して見えるようにしたものである。
【０００７】
上記料金表示手段８は図示の実施の形態では封筒表面３の上部隅部に位置していて、図５に示すようにその封筒表面３に予め印刷などにて形成された返信表示部１５にラベル片からなる往信表示部１６を剥離可能に貼着してなるものであり、往信時に前記往信表示部１６を貼着した状態で往信が行われ、返信時にはその往信表示部１６を剥ぎ取って返信表示部１５を表出させるようにしたものである。
また、図６は料金表示手段８の他の形態を示していて、この図６に示された料金表示手段８は、予め封筒表面３に印刷などによって設けられている往信表示部１６を覆うようにして貼着できるラベル片から構成された返信表示部１５自体によりなるものであり、往信時にあっては前記往信表示部１５の粘着面が剥離紙などにより保護された状態で封筒本体２に挿入され、そして、返信時において剥離紙などの保護部材を取り除いて粘着面を表出させてその返信表示部１５を前記往信表示部１６を覆うようにして貼着すればよい。
【０００８】
往復封筒セット１における封緘片５には往信時に封緘が行なえるとともに、返信時にも封緘が行なえるようにした封入封緘手段１７が設けられている。この封入封緘手段１７は、図７に示されているように返信時接着部１８と往信時接着部１９と切り取り部２０とからなるもので、前記返信時接着部１８は封緘片５と封筒表面３との間にある上記折り罫６側に沿って粘着剤１８ａを塗布してこれを剥離紙１８ｂで覆ってなるものであり、また、往信時接着部１９は封緘片５の自由端側に沿って粘着剤１９ａを塗布してこれを剥離紙１９ｂで覆ってなるものであり、返信時接着部１８と往信時接着部１９とはともに封緘片５を折り罫６から折り倒したときに封筒裏面４に相対するように設けられている。そして、切り取り部２０においては、前記返信時接着部１８と往信時接着部１９との間に位置して平行な二条の切り取りミシン目２０ａを穿設してなるものである。この往復封筒セット１において、往信の際には封入封緘手段１７の往信時接着部１９にて封緘を行なうが、返信時接着部１８は接着しないように剥離紙１８ｂを付けた状態とする。そして、この往復封筒セット１よりなる往信封筒を受けた側では前記切り取り部２０から封緘片５を分断して開封すれば、封筒本体２の内部に挿入された各種の封入物を取り出せるようになる。その後に再封するには返信時接着部１８にて剥離紙１８ｂを剥ぎ取った状態にして封筒裏面４へ封緘片５を接着すればよいものである。なお、前記往信時接着部１９は往信時の封緘の際に接着剤が塗付される構成であってもよい。
なお、上記実施の例における往信表示部５は往信時における郵送料金の前納や後納の形態を示す個所であり、返信表示部は返信時における郵送料金の前納や後納の形態を示す個所である。
【０００９】
【発明の効果】
以上説明したように、本発明の往復封筒セットによれば、封筒表面の窓部に分離可能に配置した往信宛先表示部と封筒内に挿入されて前記窓部に対応する返信宛先表示部とからなり、往信宛先表示部の分離により窓部から返信宛先表示部が目視可能となる構成とした宛先表示手段と、封筒表面に設けた返信表示部を剥離可能に覆った往信表示部、または封筒表面に設けた往信表示部を隠蔽可能な返信表示部からなる郵送の料金表示手段と、封筒の封緘片に設けられ、該封緘片の折り罫側に位置して剥離紙にて剥離可能に覆われている返信時接着部と、封緘片の自由端側に位置して封緘片の折り倒し時に対応する面に接着可能な往信時接着部と、前記返信時接着部と往信時接着部との間に位置する切り取り部とからなる封入封緘手段とを備えることを特徴とするものである。このように、往信時に封筒表面の窓部に位置する往信宛先表示部を返信時には窓部から分離して返信宛先表示部を見ることができるようにし、また、料金表示手段により往信時には往信表示部を表示させ、返信時には返信表示部を表示させ、さらに、往信時と返信時とで封緘片で封筒の封緘ができるようにしているため、往信封筒ととして受けた封筒を返信封筒としても使用でき、経済的なものとなるなど、実用性に優れた効果を奏するものである。
【図面の簡単な説明】
【図１】本発明に係る往復封筒セットの一例を示すもので、（イ）は封筒表面側を示す説明図、（ロ）は封筒裏面側を示す説明図である。
【図２】図１のＡ−Ａ線に沿った断面で一例における宛先表示手段を示す説明図である。
【図３】宛先表示手段の他の例を示す説明図である。
【図４】同じく宛先表示手段の他の例を示す説明図である。
【図５】図１のＢ−Ｂ線に沿った断面で一例における料金表示手段を示す説明図である。
【図６】他の料金表示手段を示す説明図である。
【図７】図１のＣ−Ｃ線に沿った断面で一例における封入封緘手段を示す説明図である。
【符号の説明】
１…往復封筒セット
２…封筒本体
３…封筒表面
４…封筒裏面
５…封緘片
７…宛先表示手段
８…料金表示手段
９…窓部
１０…往信宛先表示部
１１…返信宛先表示部
１２…分離部
１５…返信表示部
１６…往信表示部
１７…封入封緘手段
１８…返信時接着部
１９…往信時接着部
２０…切り取り部
【図１】
0003783192.tif 000002
【図２】
0003783192.tif 000003
【図３】
0003783192.tif 000004
【図４】
0003783192.tif 000005
【図５】
0003783192.tif 000006
【図６】
0003783192.tif 000007
【図７】
0003783192.tif 000008